(57)【要約】【課題】無線通信装置を利用可能か否かを判断可能な情報を出力できる電子機器を提供すること。【解決手段】外部機器と無線で通信する無線通信装置３と、当該無線通信装置３と接続される機器本体４Ａとを有する電子機器（プロジェクター）１Ａであって、無線通信装置３は、無線通信装置３を利用可能な地域を示す地域情報を記憶する装置側記憶手段（記憶手段３３）と、地域情報を取得する装置側取得手段（情報取得部）３４１と、装置側取得手段３４１により取得された地域情報を、機器本体４Ａに出力する装置側出力手段（情報出力部）３４２と、を有し、機器本体４Ａは、無線通信装置３から地域情報を取得する本体側取得手段と、本体側取得手段により取得された前記地域情報に基づく出力情報を出力する本体側出力手段と、を有する。【選択図】図１
2011217309.tif 000002
【特許請求の範囲】
【請求項１】
外部機器と無線で通信する無線通信装置と、当該無線通信装置と接続される機器本体とを有する電子機器であって、
前記無線通信装置は、
当該無線通信装置を利用可能な地域を示す地域情報を記憶する装置側記憶手段と、
前記地域情報を取得する装置側取得手段と、
前記装置側取得手段により取得された前記地域情報を、前記機器本体に出力する装置側出力手段と、を有し、
前記機器本体は、
前記無線通信装置から前記地域情報を取得する本体側取得手段と、
前記本体側取得手段により取得された前記地域情報に基づく出力情報を出力する本体側出力手段と、を有する
ことを特徴とする電子機器。
【請求項２】
請求項１に記載の電子機器において、
前記機器本体は、
前記地域情報と地域名とが関連付けられた地域名情報を記憶する本体側記憶手段と、
前記地域名情報を参照して、前記本体側取得手段により取得された前記地域情報に対応した、前記地域名を取得する地域名取得手段と、を備え、
前記本体側出力手段は、前記出力情報として、前記地域名取得手段により取得された前記地域名を出力する
ことを特徴とする電子機器。
【請求項３】
請求項２に記載の電子機器において、
前記機器本体は、
有線で外部機器に接続可能な有線通信手段と、
前記有線通信手段を介して、前記外部機器から最新の前記地域名情報を取得して、当該最新の地域名情報で、前記本体側記憶手段に記憶された前記地域名情報を更新する更新手段と、を備える
ことを特徴とする電子機器。
【請求項４】
請求項１から請求項３のいずれかに記載の電子機器において、
前記機器本体は、前記本体側取得手段により取得された前記地域情報に基づいて、前記無線通信装置を利用可能か否かを判定する判定手段を備え、
前記本体側出力手段は、前記出力情報として、前記判定手段による判定結果を示す情報を出力する
ことを特徴とする電子機器。
【請求項５】
請求項４に記載の電子機器において、
前記機器本体は、当該電子機器の位置情報を取得する位置情報取得手段を備え、
前記判定手段は、前記位置情報と前記地域情報とに基づいて、前記無線通信装置を利用可能か否かを判定する
ことを特徴とする電子機器。
【請求項６】
請求項１から請求項５のいずれかに記載の電子機器において、
前記本体側出力手段は、
前記出力情報に応じた画像を生成する画像生成部と、
前記画像を表示する表示部と、を有する
ことを特徴とする電子機器。
【発明の詳細な説明】
【技術分野】
【０００１】
本発明は、外部機器と無線で通信する無線通信装置を有する電子機器に関する。
【背景技術】
【０００２】
従来、光源と、当該光源から出射された光束を変調して画像情報に応じた画像を形成する光変調装置と、形成された画像をスクリーン等の被投射面上に拡大投射するプロジェクターが知られている。このようなプロジェクターとして、無線ＬＡＮ（local Area Network）モジュールを有する無線通信装置としてのＵＳＢ（Universal Serial Bus）機器が取り付けられたプロジェクターが知られている（例えば、特許文献１参照）。この特許文献１に記載のプロジェクターは、当該ＵＳＢ機器を介して、外部機器と無線で通信接続し、当該外部機器から受信される画像情報に応じた画像を形成及び投射する。
【先行技術文献】
【特許文献】
【０００３】
【特許文献１】特開２００７−２００１０９号公報
【発明の概要】
【発明が解決しようとする課題】
【０００４】
ここで、無線通信装置を利用する際には、当該無線通信装置の仕様（例えば、送受信される電波の周波数、帯域、変調方式、電波強度及び通信プロトコル等の通信仕様）が、当該無線通信装置が位置する地域（国及び独立した法規制能力を有する地域。以下、これらを総称して「地域」という場合がある）の法的条件及び技術的条件等の利用条件に適合している必要がある。このため、無線通信装置の製造者は、当該無線通信装置を販売する地域の認証を得た上で、当該地域で無線通信装置を販売する。この際、利用条件に適合し、認証を得られたことを示すラベルを無線通信装置に貼付することを義務付けている地域もあるため、当該地域で販売する場合に、製造者は、当該ラベルを貼付した無線通信装置を販売する。
【０００５】
しかしながら、無線通信装置がプロジェクター等の電子機器の筐体内に収納されている場合には、貼付されたラベルを確認することが困難であり、また、そのようなラベルの貼付が不要な地域もある。これらの場合、電子機器が持ち込まれた地域の利用条件に、無線通信装置の仕様が適合しているか否かを使用者が判断できないという問題がある。
【０００６】
近年、地域間の移動が容易になり、無線通信機器の仕様が利用条件に適合する地域から適合しない地域に、当該無線通信装置を内蔵する電子機器が持ち込まれる可能性が高くなっている。このような事情から、電子機器が持ち込まれた地域の利用条件に無線通信装置の仕様が適合しているか否か、すなわち、無線通信装置を利用可能か否かを判断するための構成が要望されてきた。
【０００７】
本発明の目的は、無線通信装置を利用可能か否かを判断可能な情報を出力できる電子機器を提供することである。
【課題を解決するための手段】
【０００８】
前記した目的を達成するために、本発明の電子機器は、外部機器と無線で通信する無線通信装置と、当該無線通信装置と接続される機器本体とを有する電子機器であって、前記無線通信装置は、当該無線通信装置を利用可能な地域を示す地域情報を記憶する装置側記憶手段と、前記地域情報を取得する装置側取得手段と、前記装置側取得手段により取得された前記地域情報を、前記機器本体に出力する装置側出力手段と、を有し、前記機器本体は、前記無線通信装置から前記地域情報を取得する本体側取得手段と、前記本体側取得手段により取得された前記地域情報に基づく出力情報を出力する本体側出力手段と、を有することを特徴とする。
【０００９】
なお、ここでいう地域とは、国及び独立した法規制能力を有する地域を含む語であり、以下の説明で使用する「地域」との語は、当該国及び地域の双方を指す場合がある。また、利用可能とは、無線通信に使用される電波の周波数、帯域、変調方式、電波強度及び通信プロトコル等の無線通信装置の仕様が、当該地域での利用条件に適合していることを示す。
また、無線通信装置としては、電波等を用いて無線により外部機器と通信接続するものであればよく、例えば、無線ＬＡＮの規格（IEEE802.11）、ワイヤレスＵＳＢの規格、及び、Bluetooth（登録商標）の規格に準拠したモジュール等を例示できる。
【００１０】
本発明によれば、電子機器の機器本体が、無線通信装置により保持された情報であり、かつ、当該無線通信装置を利用可能な地域を示す情報である地域情報を出力する。これによれば、出力された地域情報と、電子機器が現在位置する地域とを比較して、無線通信装置を利用可能か否かを判断できる。そして、これにより、無線通信装置の利用が不可である場合には、当該無線通信装置による無線通信を行わないようにすることができる。
【００１１】
本発明では、前記機器本体は、前記地域情報と地域名とが関連付けられた地域名情報を記憶する本体側記憶手段と、前記地域名情報を参照して、前記本体側取得手段により取得された前記地域情報に対応した、前記地域名を取得する地域名取得手段と、を備え、前記本体側出力手段は、前記出力情報として、前記地域名取得手段により取得された前記地域名を出力することが好ましい。
本発明によれば、機器本体により、無線通信装置を利用可能な地域の名称である地域名が出力される。これによれば、電子機器が現在位置する地域と、出力された地域名とを比較することにより、当該地域で無線通信装置を利用可能か否かを容易に判断できる。
【００１２】
本発明では、前記機器本体は、有線で外部機器に接続可能な有線通信手段と、前記有線通信手段を介して、前記外部機器から最新の前記地域名情報を取得して、当該最新の地域名情報で、前記本体側記憶手段に記憶された前記地域名情報を更新する更新手段と、を備えることが好ましい。
本発明によれば、更新手段により、有線通信手段を介して外部機器から取得された最新の地域名情報で、本体側記憶手段に記憶された地域名情報が更新される。これによれば、地域の名称変更、分裂及び統合が生じた場合においても、最新の地域名情報に基づいて、無線通信装置を利用可能な地域名を出力できる。従って、無線通信装置を利用可能な地域名を適切に把握でき、これにより、電子機器が現在位置する地域で無線通信装置が利用可能か否かを適切に判断できる。
また、最新の地域名情報は、有線通信手段を介して取得されるので、前述の利用条件に適合しない場合でも、無線による通信を行うことなく、当該最新の地域名情報を確実に取得できる。
【００１３】
本発明では、前記機器本体は、前記本体側取得手段により取得された前記地域情報に基づいて、前記無線通信装置を利用可能か否かを判定する判定手段を備え、前記本体側出力手段は、前記出力情報として、前記判定手段による判定結果を示す情報を出力することが好ましい。
本発明によれば、判定手段により、無線通信装置から取得された地域情報に基づいて、当該無線通信装置を利用可能か否かが判定され、この判定結果が出力情報として出力される。これによれば、当該判定結果を参照することにより、電子機器が現在位置する地域で、無線通信装置を利用可能か否かを容易に判断できる。従って、地域情報に基づいて無線通信装置を利用可能か否かを判断するための使用者の作業を簡略化できる。
【００１４】
本発明では、前記機器本体は、当該電子機器の位置情報を取得する位置情報取得手段を備え、前記判定手段は、前記位置情報と前記地域情報とに基づいて、前記無線通信装置を利用可能か否かを判定することが好ましい。
なお、電子機器の位置情報は、ＧＰＳ（Global Positioning System）や無線通信網測位システム等を用いた測位により取得することができる。
本発明によれば、位置情報取得手段により取得された電子機器の位置情報に基づいて、判定手段が、無線通信装置を利用可能か否かを判定する。これによれば、電子機器が現在位置する地域名や、緯度及び経度等の位置情報を入力する手間を省くことができる。従って、無線通信装置を利用可能か否かを簡易かつ適切に判断できる。
【００１５】
本発明では、前記本体側出力手段は、前記出力情報に応じた画像を生成する画像生成部と、前記画像を表示する表示部と、を有することが好ましい。
本発明によれば、地域情報に基づく出力情報、すなわち、無線通信装置を利用可能か否かを判断する際に利用される出力情報が表示部に画像として表示されるので、当該出力情報を簡易に把握できる。
【図面の簡単な説明】
【００１６】
【図１】本発明の第１実施形態に係るプロジェクターの構成を示すブロック図。
【図２】前記実施形態における制御装置の構成を示すブロック図。
【図３】前記実施形態における機器本体及び無線通信装置の処理を示すフローチャート。
【図４】前記実施形態における地域情報が含まれる画像の一例を示す図。
【図５】本発明の第２実施形態に係るプロジェクターの構成を示すブロック図。
【図６】前記実施形態における機器本体及び無線通信装置の処理を示すフローチャート。
【図７】前記実施形態における地域情報及び地域名が含まれる画像の一例を示す図。
【図８】本発明の第３実施形態に係るプロジェクターの構成を示すブロック図。
【図９】前記実施形態における入力画面の画像の一例を示す図。
【図１０】前記実施形態における結果表示画面の画像の一例を示す図。
【図１１】前記実施形態における機器本体及び無線通信装置の処理を示すフローチャート。
【図１２】本発明の第４実施形態に係るプロジェクターの構成を示すブロック図。
【図１３】前記実施形態における結果表示画面の画像の一例を示す図。
【図１４】前記実施形態における機器本体及び無線通信装置の処理を示すフローチャート。
【図１５】本発明の第５実施形態に係るプロジェクターの構成を示すブロック図。
【図１６】前記実施形態における結果表示画面の画像の一例を示す図。
【発明を実施するための形態】
【００１７】
〔第１実施形態〕
以下、本発明の第１実施形態を図面に基づいて説明する。
〔プロジェクターの概略構成〕
図１は、本実施形態に係るプロジェクター１Ａの構成を示すブロック図である。
本実施形態に係るプロジェクター１Ａは、筐体２内に設けられた光源から出射された光束を変調して画像を形成し、当該画像をスクリーン等の被投射面上に拡大投射する電子機器である。このプロジェクター１Ａは、図１に示すように、無線通信装置３及び機器本体４Ａと、これらを内部に収納する筐体２とを備え、当該無線通信装置３により外部機器から受信される画像情報に応じた画像を形成及び表示する。
【００１８】
〔無線通信装置の構成〕
無線通信装置３は、外部機器と電波により無線で双方向通信し、当該外部機器から受信される画像情報等の各種情報を機器本体４Ａに出力する。この無線通信装置３は、筐体２内に収納され、プロジェクター１Ａの外観からは確認できない位置に設けられており、筐体２に設けられたカバー（図示省略）を取り外すことにより外部に露出する。そして、当該カバーを筐体２から外すことにより、それぞれ通信仕様が異なる無線通信装置３を機器本体４に対して挿抜可能となる。或いは、この無線通信装置３は、筐体２の外装の一部を構成するように当該筐体２に取り付けられた場合に、プロジェクター１Ａの外観からは当該無線通信機器３の一部の面が確認できない構造を有しており、それぞれ通信仕様が異なる無線通信装置３が機器本体４に対して挿抜できる。このような無線通信装置３は、機器本体４ＡのＵＳＢインターフェース（以下「ＵＳＢ−ＩＦ」と略す場合がある）４１に接続されるＵＳＢ機器として構成され、無線ＬＡＮ（Local Area Network）モジュールを有する。このような無線通信装置３は、ＵＳＢ−ＩＦ３１、通信手段３２、記憶手段３３及び制御手段３４を備える。
【００１９】
ＵＳＢ−ＩＦ３１は、図示を省略するが、ＵＳＢ  Ａ端子と、当該端子を介して機器本体４Ａと無線通信装置３との間で入出力される信号の入出力状態を制御する制御部とを有する。そして、ＵＳＢ−ＩＦ３１は、制御手段３４から入力される情報（データ）をパケット化して機器本体４Ａに出力し、また、機器本体４Ａから入力されたパケットから元の情報（データ）を抽出して、制御手段３４に出力する。このＵＳＢ−ＩＦ３１と、後述するＵＳＢ−ＩＦ４１とは、ホスト−デバイスの関係にあり、ＵＳＢ−ＩＦ４１がＵＳＢホストであり、ＵＳＢ−ＩＦ３１がＵＳＢデバイスである。
通信手段３２は、プリントアンテナ等のアンテナを有し、制御手段３４の制御下で無線ＬＡＮルーター等の外部機器と接続する。
【００２０】
記憶手段３３は、本発明の装置側記憶手段に相当し、無線通信装置３の動作に必要な各種プログラム及びデータを記憶するフラッシュメモリーで構成されている。この記憶手段３３は、当該データとして、当該無線通信装置３を利用可能な地域（前述の認証を得た地域）を示す地域情報を記憶している。
具体的に、当該地域情報は、利用条件が共通する地域（国及び独立した法規制能力を有する地域。以下、これらを総称して「地域」という場合がある）の区分を示す２文字のアルファベットにより示される地域コードと、当該地域コードに付加される２桁の数字により示されるバージョンコードとが連結された情報である。
【００２１】
具体的に、地域コードは、無線通信装置３の通信仕様（送受信される電波の周波数、帯域、変調方式、電波強度及び通信プロトコル等の通信仕様）の種別を表す情報である。換言すると、当該地域コードは、無線通信装置３の通信仕様がどの地域の利用条件に適合しているかを示す情報である。このような地域コードは、通信仕様を含む利用条件が共通である地域ごとにグループ化されており、当該各グループに応じて異なるコードが設定されている。具体的に、当該地域コードとして、無線通信装置の仕様が日本国の利用条件に適合すること（日本仕様であること）を示す「ＪＰ」、米国及び米国と共通の地域の利用条件に適合すること（米国仕様であること）を示す「ＵＳ」、並びに、欧州連合加盟国及び欧州連合と共通の利用条件に適合すること（欧州仕様であること）を示す「ＥＵ」等が挙げられる。そして、各無線通信装置３は、仕様が利用条件に適合する地域を示す地域コードが含まれる地域情報が製造段階で設定される。例えば、無線通信装置３の仕様が欧州の利用条件に適合したものである場合には、地域コードとして「ＥＵ」が製造段階で記憶手段３３に記憶される。
【００２２】
バージョンコードは、無線通信装置３の地域グループ別に仕様のバージョンを示す２桁の数字である。このバージョンコードは、無線通信装置３の仕様が変更された際に「１」数字が加算される。仕様の変更には、無線通信装置３に貼付されているラベルの認証マークが追加される場合や、部品の変更が行われた場合を含む。このようなバージョンコードは、記憶手段３３において地域コードと同様に記憶される。
【００２３】
このような地域情報は、本実施形態では、記憶手段３３にＡＳＣＩＩコードに変換可能なバイナリーデータとして記憶される。このため、記憶手段３３には、当該地域情報のうち地域コードを記憶する２バイトの記憶領域が確保され、また、バージョンコードを記憶する２バイトの記憶領域が確保されている。
【００２４】
制御手段３４は、無線通信装置３全体の動作を制御する回路である。この制御手段３４は、ＵＳＢ−ＩＦ３１を介して機器本体４Ａから入力される制御信号、及び、記憶手段３３に記憶されたデータ等に基づいて、通信手段３２による外部機器との通信接続を制御する。また、制御手段３４は、当該制御信号に基づいて、前述の地域情報を記憶手段３３から取得し、当該地域情報をＵＳＢ−ＩＦ３１を介して機器本体４Ａに出力する。このため、制御手段３４は、情報取得部３４１及び情報出力部３４２を有する。
【００２５】
情報取得部３４１は、本発明の装置側取得手段に相当し、ＵＳＢ−ＩＦ３１を介して機器本体４Ａから入力される要求信号に応じて、記憶手段３３に記憶された地域情報を取得する。
情報出力部３４２は、本発明の装置側出力手段に相当し、取得された地域情報を、ＵＳＢ−ＩＦ３１を介して機器本体４Ａに出力する。
【００２６】
〔機器本体の構成〕
機器本体４Ａは、プロジェクター１Ａの主な機能を実現する部位であり、例えば、外部から入力される画像情報（画像信号を含む）、及び、無線通信装置３から入力される画像情報に応じた画像を形成及び投射する。この機器本体４Ａは、ＵＳＢ−ＩＦ４１、操作装置４２、画像表示装置４３及び制御装置４４Ａを有する。
【００２７】
〔ＵＳＢ−ＩＦの構成〕
ＵＳＢ−ＩＦ４１は、前述のＵＳＢ−ＩＦ３１と同様に、当該ＵＳＢ−ＩＦ３１の端子が接続されるＵＳＢ  Ａソケットと、信号の入出力状態を制御する制御部とを有する。そして、ＵＳＢ−ＩＦ４１は、制御装置４４Ａから入力される情報（データ）をパケット化して無線通信装置３に出力し、また、無線通信装置３から入力されたパケットから元の情報（データ）を抽出して、制御装置４４Ａに出力する。なお、機器本体４Ａは、汎用的な接続端子であるＵＳＢソケットを有するので、ＵＳＢ機器として構成された無線通信装置３を挿抜できる。或いは、前述のように、筐体２に無線通信機器３を覆うカバーが設けられている場合には、当該カバーを取り外すことで、ＵＳＢ機器として構成された無線通信装置３を挿抜できる。このようにして、それぞれ通信仕様が異なる複数種類の無線通信装置３を用途及び使用地域に応じて機器本体４Ａに接続することができる。
【００２８】
〔操作装置の構成〕
操作装置４２は、詳しい図示を省略するが、筐体２外面に露出する操作パネルを有し、当該操作パネルには、複数のキーが配設されている。そして、操作装置４２は、入力されたキーに応じた操作信号を、制御装置４４Ａに出力する。このようなキーとして、プロジェクター１Ａの電源のオン／オフを行う電源キー、メニュー画面を表示させるメニューキー、表示されたメニュー画面の項目を選択する上下左右の方向キー、及び、選択された項目を決定する決定キー等が挙げられる。また、これらのキーに応じた操作が、赤外線等によるリモートコントローラー等の遠隔操作手段により実行可能に構成されてもよい。
【００２９】
〔画像表示装置の構成〕
画像表示装置４３は、本発明の表示部に相当し、制御装置４４Ａから画像信号として入力される駆動信号に応じた画像を形成及び投射して、当該画像を前述の被投射面上に表示させる。この画像表示装置４３は、光源装置４３１、光変調装置４３２及び投射光学装置４３３を有する。
光源装置４３１は、高圧水銀ランプ等の光源ランプ及び反射鏡であるリフレクター、或いはＬＥＤ等の固体光源を備え、光変調装置４３２に光束を照射する。
【００３０】
光変調装置４３２は、光源装置４３１から出射された光束を前述の駆動信号に応じて変調して、当該駆動信号に応じた画像を形成する。この光変調装置４３２は、本実施形態では、液晶パネルを備える構成であるが、これに限定されるものではなく、マイクロミラーを用いたデバイス等、液晶以外の構成を採用してもよい。
投射光学装置４３３は、光変調装置４３２により形成された画像を前述の被投射面上に拡大投射する。この投射光学装置４３３は、鏡筒と、当該鏡筒内に収納される複数のレンズとを備えた組レンズとして構成されている。
【００３１】
〔制御装置の構成〕
図２は、制御装置４４Ａの構成を示すブロック図である。
制御装置４４Ａは、機器本体４Ａ、ひいては、プロジェクター１Ａ全体を自律的に、或いは、使用者の操作に応じて制御する。例えば、制御装置４４Ａは、前述の画像情報を処理して、当該画像情報に応じた駆動信号を画像表示装置４３に出力する。また、制御装置４４Ａは、操作装置４２から入力される操作信号に応じてメニュー画面の画像（以下「メニュー画像」という場合がある）を生成し、当該メニュー画像に応じた駆動信号を画像表示装置４３に出力する。このような制御装置４４Ａは、図２に示すように、画像処理部４４１、操作判定部４４２、画像生成部４４３、情報取得部４４４、画像出力部４４５及び記憶部４４６を有する。
このうち、記憶部４４６は、画像形成に利用されるフレームメモリー、及び、プロジェクター１Ａの動作に必要な各種プログラム及びデータを記憶するフラッシュメモリー等により構成されている。
【００３２】
画像処理部４４１は、画像情報を処理して、当該画像情報に応じた画像を記憶部４４６のフレームメモリー上に生成する。この際、画像処理部４４１は、例えば、ガンマ補正や、光変調装置４３２の画像形成領域の解像度に応じた当該画像のリサイズ等の所定の補正処理を行う。
操作判定部４４２は、操作装置４２から操作信号が入力されたか否かを判定し、操作信号が入力されたと判定された場合に、当該操作信号が示す処理内容を判定する。
【００３３】
画像生成部４４３は、入力される操作信号に応じた画像を生成する。例えば、操作判定部４４２により、メニュー画面を表示する旨の操作信号が入力されたと判定された場合に、画像生成部４４３は、当該操作信号に応じたメニュー画像を前述のフレームメモリー上に生成する。また、例えば、操作装置４２から、前述の地域情報を表示する旨の操作信号が入力された場合には、画像生成部４４３は、情報取得部４４４により取得された地域情報が含まれる画像を生成する。
【００３４】
情報取得部４４４は、本発明の本体側取得手段に相当し、前述の地域情報を表示する旨の操作信号が入力されたと判定された場合に、ＵＳＢ−ＩＦ４１を介して無線通信装置３に要求信号を出力し、無線通信装置３から当該地域情報を取得する。この地域情報は、画像生成部４４３により参照される。
画像出力部４４５は、画像表示装置４３とともに本発明の本体側出力手段に相当し、画像処理部４４１により生成された画像に応じた駆動信号を画像表示装置４３に出力する。また、画像出力部４４５は、画像生成部４４３により生成された画像に応じた駆動信号を画像表示装置４３に出力する。これにより、当該各画像が被投射面上に表示される。
【００３５】
〔地域情報出力処理〕
図３は、地域情報を表示する際の機器本体４Ａ及び無線通信装置３の処理を示すフローチャートである。
操作装置４２に対する使用者の操作に応じて、前述の地域情報を表示する旨の操作信号が入力されたと操作判定部４４２が判定した場合には、機器本体４Ａ及び無線通信装置３は、以下に示す地域情報出力処理を実行し、当該地域情報を含む画像を表示する。この地域情報出力処理における機器本体４Ａ（制御装置４４Ａ）の処理は、制御装置４４Ａの記憶部４４６に記憶されたプログラムに沿って実行され、また、無線通信装置３の処理は、記憶手段３３に記憶されたプログラムに沿って実行される。
【００３６】
この地域情報出力処理では、図３に示すように、まず、情報取得部４４４が、ＵＳＢ−ＩＦ４１を介して無線通信装置３に地域情報を要求する要求信号を出力する（ステップＳＡ１）。
これに対し、無線通信装置３の情報取得部３４１が、記憶手段３３の所定のアドレスを参照して、当該アドレスに記憶された前述の地域情報を取得する（ステップＳＡ２）。この後、情報出力部３４２が、取得された地域情報をＵＳＢ−ＩＦ３１を介して、機器本体４Ａに出力する（ステップＳＡ３）。
この後、情報取得部４４４が、ＵＳＢ−ＩＦ４１に入力された地域情報を取得する（ステップＳＡ４）。
【００３７】
図４は、地域情報が含まれる画像の一例を示す図である。
次に、画像生成部４４３が、取得された地域情報を含む画像（例えば、図４に示す画像ＭＰ１）を生成する。そして、画像出力部４４５が当該画像に応じた駆動信号を画像表示装置４３に出力することで、当該画像が被投射面上に表示される（ステップＳＡ５）。
なお、地域情報の出力（表示）については、上記画像ＭＰ１のようなメニュー画像に限らず、使用者の入力操作に応じて、当該地域情報をＯＳＤ（On-Screen Display）表示するように構成してもよい。
【００３８】
以上説明した本実施形態に係るプロジェクター１Ａによれば、以下の効果がある。
筐体２内に収納された無線通信装置３に記憶され、かつ、当該無線通信装置３を利用可能な地域を示す地域情報が、機器本体４Ａにより取得され、当該地域情報が含まれる画像が、画像表示装置４３により表示される。これによれば、表示された地域情報と、プロジェクター１Ａが現在位置する地域とを、プロジェクター１Ａの製造者又は販売者に連絡したり、或いは、製造者又は販売者のホームページ等を参照する等して、当該地域で無線通信装置３を利用可能か否かを判断できる。従って、無線通信装置３を適切に利用できる。
【００３９】
また、無線通信装置３の記憶手段３３に記憶された地域情報は、画像として表示されるので、当該地域情報を容易に把握できる。
更に、地域情報には、地域コード及びバージョンコードが含まれており、当該バージョンコードは、無線通信装置３のハードウェア仕様（貼付されている認証マークラベルの改版を含む）が変更された際に変更される。これによれば、プロジェクター１Ａとともに使用されている無線通信装置３の通信仕様、及び、当該無線通信装置３に貼付されている認証マークの仕様を正確に把握することができる。従って、地域コード及びバージョンコードに基づいて、無線通信装置３が利用可能か否かを、より適切に判断できる。
【００４０】
〔第２実施形態〕
次に、本発明の第２実施形態について説明する。
本実施形態に係るプロジェクターは、前述のプロジェクター１Ａと同様の構成を備える。ここで、プロジェクター１Ａでは、無線通信装置３に保持された地域情報を表示する構成であった。これに対し、本実施形態に係るプロジェクターでは、当該地域情報に基づいて、無線通信装置を利用可能な地域の名称（地域名）を表示する。この点で、本実施形態に係るプロジェクターとプロジェクター１Ａとは相違する。なお、以下の説明では、既に説明した部分と同一または略同一である部分については、同一の符号を付して説明を省略する。
【００４１】
図５は、本実施形態に係るプロジェクター１Ｂの構成を示すブロック図である。
本実施形態に係るプロジェクター１Ｂは、図５に示すように、機器本体４Ａに代えて機器本体４Ｂを有するほかは、プロジェクター１Ａと同様の構成及び機能を有する。また、機器本体４Ｂは、制御装置４４Ａに代えて制御装置４４Ｂを有し、更に有線ＬＡＮインターフェース（以下「有線ＬＡＮ−ＩＦ」と略す場合がある）４６を有するほかは、機器本体４Ａと同様の構成を有する。
このうち、有線ＬＡＮ−ＩＦ４６は、本発明の有線通信手段に相当し、制御装置４４Ｂによる制御の下、インターネット等のネットワークＮ上のサーバーＳ等の外部機器と有線で通信接続する。
【００４２】
制御装置４４Ｂは、画像生成部４４３及び記憶部４４６に代えて画像生成部４４３Ｂ及び記憶部４４６Ｂを有し、更に地域名取得部４４７及び更新部４４８を有するほかは、制御装置４４Ａと同様の構成及び機能を有する。
このうち、記憶部４４６Ｂは、本発明の本体側記憶手段に相当し、前述の記憶部４４６と同様に、画像形成に利用されるフレームメモリー、及び、プロジェクター１Ｂの動作に必要な各種プログラム及びデータを記憶するフラッシュメモリー等により構成されている。また、記憶部４４６Ｂは、当該データとして、前述の地域コードと、当該地域コードに対応する地域名とが関連付けられたＬＵＴ（Look-Up Table）である地域名情報を記憶している。
【００４３】
地域名取得部４４７は、記憶部４４６Ｂの地域名情報を参照して、情報取得部４４４により取得された地域情報の地域コードに対応する地域の名称（地域名）を取得する。
画像生成部４４３Ｂは、前述の画像生成部４４３と同様に、操作信号に応じた画像を生成する。例えば、無線通信装置３を利用可能な地域名を表示する旨の操作信号が入力された場合には、画像生成部４４３Ｂは、地域名取得部４４７により取得された地域名が含まれる画像を生成する。
更新部４４８は、本発明の更新手段に相当し、有線ＬＡＮ−ＩＦ４６を介してサーバーＳと通信接続可能である場合に、当該サーバーＳに最新の地域名情報が保存されているか否かを判定する。そして、最新の地域名情報が保存されている場合には、当該最新の地域名情報で、記憶部４４６に記憶されている地域名情報を更新する。
【００４４】
図６は、地域情報と地域名とを表示する際の機器本体４Ｂ及び無線通信装置３の処理を示すフローチャートである。
このようなプロジェクター１Ｂでは、前述のプロジェクター１Ａと同様に、地域情報及び地域名を表示する旨の操作信号が入力されたと操作判定部４４２により判定された場合に、機器本体４Ｂ及び無線通信装置３は、以下に示す処理を実行し、当該地域情報及び地域名を表示する。
具体的に、当該地域情報出力処理では、図６に示すように、まず、制御装置４４Ｂ及び無線通信装置３は、前述のステップＳＡ１〜ＳＡ４を実行する。
このステップＳＡ４の後、地域名取得部４４７が、記憶部４４６Ｂの地域名情報を参照して、ステップＳＡ４にて取得された地域情報に対応する地域名を取得する（ステップＳＢ１）。
【００４５】
図７は、地域情報及び地域名が含まれる画像の一例を示す図である。
この後、画像生成部４４３Ｂが、取得された地域情報及び地域名が含まれる画像（例えば、図７に示す画像ＭＰ２）を生成し、画像出力部４４５が、当該画像に応じた駆動信号を画像表示装置４３に出力する。これにより、当該画像が、画像表示装置４３により被投射面上に表示される（ステップＳＢ２）。
【００４６】
なお、プロジェクター１Ｂが無線通信装置３を利用可能な地域にあると判断できた場合には、更新部４４８による最新の地域名情報の取得及び更新は、有線ＬＡＮ−ＩＦ４６を介してではなく、無線通信装置３を介して行うようにしてもよい。
また、更新部４４８が自動的にサーバーＳと通信接続して地域名情報を取得する構成に限らない。例えば、サーバーＳに保存された地域名情報が更新された旨の通知をメール等によりプロジェクター１Ｂが受信し、当該通知に基づいて、サーバーＳから最新の地域名情報を取得するようにしてもよい。このような場合、プロジェクター１Ｂが自動で行ってもよく、或いは、手動で行ってもよい。
【００４７】
以上説明した本実施形態に係るプロジェクター１Ｂによれば、前述のプロジェクター１Ａと同様の効果を奏するほか、以下の効果がある。
無線通信装置３から取得された地域情報の地域コードに基づいて、地域名取得部４４７が、無線通信装置３を利用可能な地域名を記憶部４４６Ｂから取得する。そして、画像生成部４４３Ｂが、当該地域名が含まれる画像を生成することにより、画像表示装置４３が、当該画像を表示する。これによれば、プロジェクター１Ｂが現在位置する地域と、表示された地域名とを比較することにより、無線通信装置３を利用可能か否かを容易に判断できる。
【００４８】
更新部４４８により、有線ＬＡＮ−ＩＦ４６を介してサーバーＳから取得された最新の地域名情報で、記憶部４４６Ｂに記憶されている地域名情報が更新される。これによれば、国及び地域の名称変更、分裂及び統合が生じた場合においても、当該最新の地域名情報に基づいて、無線通信装置３を利用可能な地域名を表示できる。従って、無線通信装置３を利用可能な地域名を適切に把握でき、これにより、プロジェクター１Ｂが現在位置する地域で無線通信装置３を利用可能か否かを適切に判断できる。
また、最新の地域名情報は、有線ＬＡＮ−ＩＦ４６を介して取得されるので、プロジェクター１Ｂが位置する地域の利用条件に適合しない場合でも、無線による通信を行うことなく、当該最新の地域名情報を確実に取得できる。
【００４９】
〔第３実施形態〕
次に、本発明の第３実施形態について説明する。
本実施形態に係るプロジェクターは、前述のプロジェクター１Ｂと同様の構成を有する。ここで、当該プロジェクター１Ｂでは、無線通信装置３に記憶された地域情報に対応する地域名を表示した。これに対し、本実施形態に係るプロジェクターでは、入力された地域名又は地域コードに基づいて、無線通信装置を利用できるか否かの判定結果を出力する。この点で、本実施形態に係るプロジェクターとプロジェクター１Ｂとは相違する。なお、以下の説明では、既に説明した部分と同一または略同一である部分については、同一の符号を付して説明を省略する。
【００５０】
図８は、本実施形態に係るプロジェクター１Ｃの構成を示すブロック図である。
本実施形態に係るプロジェクター１Ｃは、図８に示すように、機器本体４Ｂに代えて機器本体４Ｃを有するほかは、プロジェクター１Ｂと同様の構成及び機能を有する。また、機器本体４Ｃは、制御装置４４Ｂに代えて制御装置４４Ｃを有するほかは、機器本体４Ｂと同様の構成を有する。更に、制御装置４４Ｃは、画像生成部４４３Ｂに代えて画像生成部４４３Ｃを有し、更に入力内容取得部４４９及び判定部４５０を有するほかは、制御装置４４Ｂと同様の構成及び機能を有する。
【００５１】
図９及び図１０は、入力画面及び結果表示画面の各画像の一例を示す図である。
画像生成部４４３Ｃは、前述の画像生成部４４３Ｂと同様に、操作装置４２から入力される操作信号に応じた画像を生成する。この際、操作装置４２から、無線通信装置３が利用可能か否かを確認する旨の操作信号が入力された場合には、画像生成部４４３Ｃは、例えば、図９に示すような、現在プロジェクター１Ｃが位置する地域名又は地域コードを入力させる入力画面の画像ＭＰ３を生成する。
【００５２】
この入力画面にて地域名及び地域コードを入力する場合には、画像生成部４４３は、ソフトウェアキーボードが設けられた文字入力画面の画像（図示省略）を生成する。そして、使用者は、表示された文字入力画面にて、地域名及び地域コードを入力することができるようになっている。なお、地域名及び地域コードの入力に際しては、文字列を入力させる構成ではなく、表示された地域名及び地域コードから選択させる構成とすることもできる。
また、画像生成部４４３Ｃは、例えば、図１０に示すような、判定部４５０による判定結果が含まれる結果表示画面の画像ＭＰ４を生成する。この結果表示画面には、判定結果の他に、無線通信装置３から取得した地域情報、及び、無線通信装置３を利用可能な地域名が含まれる。
【００５３】
入力内容取得部４４９は、上記入力画面にて「実行」キーが入力された場合に、使用者により入力された内容（地域名及び地域コード）を取得する。
判定部４５０は、本発明の判定手段に相当し、入力内容取得部４４９により地域コードが取得された場合には、当該地域コードと、情報取得部４４４により取得された地域情報の地域コードとが一致するか否かを判定する。そして、判定部４５０は、これらが一致する場合に無線通信装置３を利用可能と判断し、一致しない場合に利用不可と判断する。
また、判定部４５０は、地域名が取得された場合には、当該地域名が、地域名取得部４４７により取得された地域情報に対応する地域名に含まれるか否かを判定し、含まれる場合に無線通信装置３を利用可能と判断し、含まれない場合に利用不可と判断する。
そして、当該判定部４５０による判定結果が、前述の結果表示画面に含まれて表示される。
【００５４】
図１１は、無線通信装置３が利用可能か否かを確認する際に行われる機器本体４Ｃ及び無線通信装置３の処理を示すフローチャートである。
プロジェクター１Ｃでは、無線通信装置３を利用可能か否かを確認する旨の操作信号が入力された場合に、前述の入力画面が表示される。そして、当該入力画面にて「実行」キーが入力されると、機器本体４Ｃ及び無線通信装置３は、以下に示す処理を実行する。
この処理では、図１１に示すように、まず、機器本体４Ｃ及び無線通信装置３が、前述のステップＳＡ１〜ＳＡ４，ＳＢ１を実行する。
【００５５】
このステップＳＢ１の後、入力内容取得部４４９が、前述の入力画面にて使用者により入力された入力内容を取得する（ステップＳＣ１）。
この後、判定部４５０が、入力内容取得部４４９により取得された入力内容、情報取得部４４４により取得された地域情報、及び、地域名取得部４４７により取得された地域名に基づいて、無線通信装置３が利用可能か否かを判定する（ステップＳＣ２）。
【００５６】
そして、画像生成部４４３Ｃが、判定部４５０による判定結果、入力内容、並びに、それぞれ取得された地域情報及び地域名が含まれる前述の結果表示画面の画像（例えば、画像ＭＰ４）を生成する。この画像に応じた画像信号が、画像出力部４４５により画像表示装置４３に出力され、当該画像表示装置４３により結果表示画面が表示される（ステップＳＣ３）。
このようにして表示される結果表示画面を確認することにより、プロジェクター１Ｃが現在位置する地域で、当該プロジェクター１Ｃに内蔵された無線通信装置３が利用可能か否かを容易に判断することができる。
【００５７】
以上説明した本実施形態に係るプロジェクター１Ｃによれば、前述のプロジェクター１Ｂと同様の効果を奏することができるほか、以下の効果を奏することができる。
情報取得部４４４により取得された地域情報（地域コード）と、地域名取得部４４７により取得された地域名（無線通信装置３を利用可能な地域名）と、使用者により入力された地域名及び地域コードとに基づいて、判定部４５０により、当該入力された地域名及び地域コードにより示される地域で、無線通信装置３を利用可能か否かが判定される。そして、この判定部４５０による判定結果は、結果表示画面の画像に含まれて表示される。これによれば、プロジェクター１Ｃが現在位置する場所の地域名又は地域コードを入力することで、当該場所で無線通信装置３を利用可能か否かを容易に判断できる。従って、地域情報に基づいて無線通信装置３を利用可能か否かを判断するための使用者の作業を簡略化できる。
【００５８】
また、入力画面にて、地域名又は地域コードを入力することで、これらによって示される地域で無線通信装置３を利用可能か否かを判定できる。これによれば、プロジェクター１Ｃを持ち運ぶ予定の地域で当該無線通信装置３を利用可能か否かを予め判定しておくことも可能である。従って、プロジェクター１Ｃの使い勝手を向上できる。
【００５９】
〔第４実施形態〕
次に、本発明の第４実施形態について説明する。
本実施形態に係るプロジェクターは、前述のプロジェクター１Ｃと同様の構成を備える。ここで、プロジェクター１Ｃでは、入力された地域名及び地域コードに基づいて、無線通信装置３が利用可能であるか否かを判定した。これに対し、本実施形態に係るプロジェクターでは、取得された現在位置情報に基づいて、無線通信装置３が利用可能であるか否かを判定する。この点で、本実施形態に係るプロジェクターとプロジェクター１Ｃとは相違する。なお、以下の説明では、既に説明した部分と同一または略同一である部分については、同一の符号を付して説明を省略する。
【００６０】
図１２は、本実施形態に係るプロジェクター１Ｄの構成を示すブロック図である。
本実施形態に係るプロジェクター１Ｄは、図１２に示すように、機器本体４Ｃに代えて機器本体４Ｄを有するほかは、プロジェクター１Ｃと同様の構成及び機能を有する。また、機器本体４Ｄは、制御装置４４Ｃに代えて制御装置４４Ｄを有し、更に位置情報取得装置４７を有するほかは、機器本体４Ｃと同様の構成を有する。
このうち、位置情報取得装置４７は、本発明の位置情報取得手段に相当し、現在プロジェクター１Ｄが位置している場所を測位して、当該プロジェクター１Ｄの位置情報を取得する。このような位置情報取得装置４７として、ＧＰＳ（Global Positioning System）や無線通信網測位システム等を利用して、プロジェクター１Ｄの位置情報（緯度及び経度で示される座標）を測位するモジュールを例示できる。
【００６１】
制御装置４４Ｄは、画像生成部４４３Ｃ、判定部４５０、更新部４４８及び記憶部４４６Ｂに代えて、画像生成部４４３Ｄ、判定部４５０Ｄ、更新部４４８Ｄ及び記憶部４４６Ｄを有し、更に位置情報取得部４５１、該当地域取得部４５２及び装置制御部４５３を有するほかは、制御装置４４Ｃと同様の構成及び機能を有する。
これらのうち、記憶部４４６Ｄは、本発明の本体側記憶手段に相当し、前述の記憶部４４６Ｂと同様の構成を有し、当該記憶部４４６Ｂと同様のプログラム及びデータを記憶している。この他、記憶部４４６Ｄは、位置情報と地域名とが関連付けられたＬＵＴである地域位置情報を記憶している。
【００６２】
位置情報取得部４５１は、測位された位置情報を位置情報取得装置４７から取得する。
該当地域取得部４５２は、記憶部４４６Ｄに記憶された地域位置情報を参照して、取得された位置情報に該当する地域名を取得する。これら位置情報取得部４５１及び該当地域取得部４５２により、プロジェクター１Ｄの現在位置に応じた地域名が取得される。
【００６３】
判定部４５０Ｄは、本発明の判定手段に相当し、地域名取得部４４７により取得された地域名（利用可能地域名）に、該当地域取得部４５２により取得された地域名（現在地域名）が含まれるか否かを判定することで、プロジェクター１Ｄが現在位置する地域で無線通信装置３を利用可能か否かを判定する。この際、判定部４５０Ｄは、利用可能地域名に現在地域名が含まれる場合には、無線通信装置３を利用可能であると判断し、含まれない場合には、利用不可であると判断する。
【００６４】
装置制御部４５３は、判定部４５０Ｄによる判定結果に基づいて、無線通信装置３を有効化又は無効化する。具体的に、無線通信装置３を利用可能と判断された場合には、装置制御部４５３は、無線通信装置３を有効化して利用可能な状態に設定する。一方、無線通信装置３を利用不可であると判断された場合には、当該装置制御部４５３は、無線通信装置３を無効化して利用不可な状態に設定する。
【００６５】
更新部４４８Ｄは、本発明の更新手段に相当し、前述の更新部４４８と同様に、ネットワークＮ上のサーバーＳから、最新の地域名情報を取得して、記憶部４４６Ｄに記憶された地域名情報を更新する。また、更新部４４８Ｄは、当該サーバーＳから、位置情報と地域名とが関連付けられた最新の地域位置情報を取得して、記憶部４４６Ｄに記憶された地域位置情報を更新する。この際、更新部４４８Ｄは、有線ＬＡＮ−ＩＦ４６を介してサーバーＳと通信接続してもよく、また、装置制御部４５３により有効化された後であれば、無線通信装置３によりサーバーＳと通信接続してもよい。
【００６６】
画像生成部４４３Ｄは、前述の画像生成部４４３Ｃと同様に、操作装置４２から入力される操作信号に応じた画像を生成する。この際、操作装置４２から、無線通信装置３が利用可能か否かを確認する旨の操作信号が入力された場合には、画像生成部４４３Ｄは、判定部４５０Ｄによる判定処理の結果が含まれる結果表示画面の画像を生成する。
【００６７】
図１３は、結果表示画面を形成する画像の一例を示す図である。
ここで、判定部４５０Ｄにより無線通信装置３の利用が不可であると判定された場合には、画像生成部４４３Ｄは、例えば図１３に示すような結果表示画面の画像ＭＰ５を生成する。この画像ＭＰ５には、当該結果のほか、現在プロジェクター１Ｄが位置する地域名、無線通信装置３から取得した地域情報、及び、無線通信装置３を利用可能な地域名が含まれる。なお、これらの他に、位置情報取得部４５１により取得された位置情報を含めてもよい。
一方、判定部４５０Ｄにより無線通信装置３が利用可能であると判定された場合には、画像生成部４４３Ｄは、「利用可能である」旨の判定結果のほか、前述の画像ＭＰ５に含まれる内容と同様の内容を含む画像を生成する。
このようにして生成された画像に応じた駆動信号は、画像出力部４４５により画像表示装置４３に出力され、当該画像表示装置４３により当該画像が表示される。
【００６８】
図１４は、無線通信装置３が利用可能か否かを確認する際に行われる機器本体４Ｄ及び無線通信装置３の処理を示すフローチャートである。
プロジェクター１Ｄでは、無線通信装置３を利用可能か否かを確認する旨の操作信号が入力された場合に、以下に示す処理を実行する。
この処理では、図１４に示すように、まず、機器本体４Ｄ及び無線通信装置３が、前述のステップＳＡ１〜ＳＡ４，ＳＢ１を実行する。
【００６９】
このステップＳＢ１の後、位置情報取得部４５１が、位置情報取得装置４７により測位されたプロジェクター１Ｄの位置情報を取得する（ステップＳＤ１）。
この後、該当地域取得部４５２が、記憶部４４６Ｄの地域位置情報を参照して、取得された位置情報に応じた地域名を取得する（ステップＳＤ２）。
次に、判定部４５０Ｄが、前述のように、地域名取得部４４７及び該当地域取得部４５２により取得された各情報に基づいて、無線通信装置３が利用可能か否かを判定する（ステップＳＤ３）。
【００７０】
ここで、無線通信装置３が利用可能であると判定された場合には、装置制御部４５３が、無線通信装置３を有効化して利用可能な状態に設定する（ステップＳＤ４）。
一方、無線通信装置３が利用可能でないと判定された場合には、装置制御部４５３が、無線通信装置３を無効化して利用不可な状態に設定する（ステップＳＤ５）。
これらステップＳＤ４又はステップＳＤ５の後、画像生成部４４３Ｄが、前述の結果表示画面の画像を生成し、当該画像を、画像出力部４４５及び画像表示装置４３により表示する（ステップＳＤ６）。
以上の処理により表示された結果表示画面を確認することで、無線通信装置３が利用可能であるか否かを判断することができる。
【００７１】
以上説明したプロジェクター１Ｄによれば、前述のプロジェクター１Ｂと同様の効果を奏することができるほか、以下の効果を奏することができる。
プロジェクター１Ｄの位置情報に基づいて、当該プロジェクター１Ｄが位置する地域名が取得され、当該地域名が、地域情報に基づいて取得される無線通信装置３の利用可能地域に含まれるか否かにより、当該無線通信装置３を利用可能か否かが判定される。これによれば、プロジェクター１Ｄが現在位置する場所で、無線通信装置３を利用可能か否かが自動的に判定されるので、当該場所の地域名及び地域コードや、緯度及び経度等の位置情報を入力する手間を省略できる。従って、無線通信装置３を利用可能か否かを確実かつ適切に判断できる。
また、判定部４５０Ｄにより、無線通信装置３の利用が不可であると判定された場合には、装置制御部４５３により、当該無線通信装置３が利用不可に設定される。これによれば、利用条件に適合しない状態で無線通信装置３が利用されてしまうことを防止できる。
【００７２】
〔第５実施形態〕
次に、本発明の第５実施形態について説明する。
本実施形態に係るプロジェクターは、前述のプロジェクター１Ｄと同様の構成を備える。ここで、プロジェクター１Ｄでは、取得されたプロジェクター１Ｄの現在位置に基づいて無線通信装置３を利用可能か否かの判定結果を表示する構成とした。これに対し、本実施形態に係るプロジェクターでは、判定部により無線通信装置３の利用が不可であると判定された場合に、当該判定結果とともに、プロジェクターが現在位置する地域で利用可能な無線通信装置の製品情報を出力（表示）する。この点で、本実施形態に係るプロジェクターとプロジェクター１Ｄとは相違する。なお、以下の説明では、既に説明した部分と同一または略同一である部分については、同一の符号を付して説明を省略する。
【００７３】
図１５は、本実施形態に係るプロジェクター１Ｅの構成を示すブロック図である。
本実施形態に係るプロジェクター１Ｅは、図１５に示すように、機器本体４Ｄに代えて機器本体４Ｅを有するほかは、プロジェクター１Ｄと同様の構成及び機能を有する。また、機器本体４Ｅは、制御装置４４Ｄに代えて制御装置４４Ｅを有するほかは、機器本体４Ｄと同様の構成を有する。
制御装置４４Ｅは、画像生成部４４３Ｄ、記憶部４４６Ｄ及び更新部４４８Ｄに代えて画像生成部４４３Ｅ、記憶部４４６Ｅ及び更新部４４８Ｅを有し、更に地域コード取得部４５４及び製品情報取得部４５５を有するほかは、制御装置４４Ｄと同様の構成及び機能を有する。
【００７４】
このうち、記憶部４４６Ｅは、前述の記憶部４４６Ｄと同様の構成を有し、当該記憶部４４６Ｄと同様のプログラム及びデータを記憶する。この他、記憶部４４６Ｅは、地域コードと、当該地域コードにより示される地域で利用可能な無線通信装置３の製品情報（例えば、無線通信装置３の型番及び製品名等）とが関連付けられたＬＵＴである利用可能製品情報を記憶している。
【００７５】
地域コード取得部４５４及び製品情報取得部４５５は、判定部４５０Ｄにより、プロジェクター１Ｅが現在位置する地域で無線通信装置３の利用が不可であると判定された場合に機能する。
地域コード取得部４５４は、記憶部４４６Ｅに記憶された地域名情報を参照して、該当地域取得部４５２により取得された地域名（プロジェクター１Ｅが現在位置する地域の地域名）に応じた地域コードを取得する。この地域コードは、当該プロジェクター１Ｅが現在位置する地域で利用可能となる無線通信装置３の地域コード（仕様種別）である。
製品情報取得部４５５は、記憶部４４６Ｅに記憶された利用可能製品情報を参照して、地域コード取得部４５４により取得された地域コードに応じた製品情報を取得する。
【００７６】
画像生成部４４３Ｅは、画像生成部４４３Ｄと同様に、判定部４５０Ｄによる判定結果が含まれる結果表示画面の画像を生成する。この際、画像生成部４４３Ｅは、判定部４５０Ｄにより、プロジェクター１Ｅが現在位置する地域では無線通信装置３の利用が不可であると判定された場合に、例えば図１６に示す画像ＭＰ６を生成する。この画像ＭＰ６には、判定部４５０Ｄによる判定結果、プロジェクター１Ｅが現在位置する地域名、接続されている無線通信装置３から取得された地域情報、及び、当該無線通信装置３を利用可能な地域名のほか、当該画像ＭＰ６には、地域コード取得部４５４により取得された地域コード、及び、製品情報取得部４５５により取得された製品情報が含まれる。
【００７７】
換言すると、当該画像ＭＰ６には、位置情報取得部４５１により取得されたプロジェクター１Ｅの現在位置にて利用可能な地域コード（すなわち、仕様種別）と、当該地域コードに応じた無線通信装置３の製品情報（画像ＭＰ６では無線通信装置３の型番）とが含まれる。なお、製品情報として、利用可能な無線通信装置３の型番だけでなく、製品名等の他の情報を含めるようにしてもよい。
一方、判定部４５０Ｄにより無線通信装置３が利用可能であると判定された場合には、画像生成部４４３Ｅにより生成される結果表示画面の画像には、当該地域コード及び製品情報は含まれない。
【００７８】
更新部４４８Ｅは、本発明の更新手段に相当し、前述の更新部４４８Ｄと同様に、ネットワークＮ上のサーバーＳから、最新の地域名情報、地域位置情報及び製品情報を取得して、記憶部４４６Ｅに記憶された各情報を更新する。
【００７９】
このようなプロジェクター１Ｅでは、無線通信装置３を利用可能か否かを確認する旨の操作信号が入力された場合に、図１４において示した処理と同様の処理を実行する。
この際、ステップＳＤ６では、ステップＳＤ３での判定部４５０Ｄによる判定結果に基づいて、画像生成部４４３Ｅが前述の結果表示画面の画像を生成する。そして、当該画像に応じた駆動信号が、画像出力部４４５により画像表示装置４３に出力され、当該画像表示装置４３により当該画像が表示される。
【００８０】
以上説明した本実施形態に係るプロジェクター１Ｅによれば、前述のプロジェクター１Ｄと同様の効果を奏するほか、以下の効果を奏することができる。
判定部４５０Ｄにより、プロジェクター１Ｅが現在位置する地域で無線通信装置３の利用が不可であると判定された場合に、当該地域で利用可能な無線通信装置３の仕様種別を表す地域コードと、当該利用可能な無線通信装置３の製品情報とを含む結果表示画面の画像（例えば、画像ＭＰ６）が表示される。これによれば、プロジェクター１Ｅが現在位置する地域で利用可能な無線通信装置３を使用者が把握できるので、機器本体４Ｅに接続されている無線通信装置３に代えて、当該利用可能な無線通信装置３を機器本体４Ｅに接続するなどして無線通信を行うことができる。従って、当該地域で利用可能な無線通信装置３が案内されるので、プロジェクター１Ｅの使い勝手を向上できる。
【００８１】
〔実施形態の変形〕
本発明は前述の実施形態に限定されるものではなく、本発明の目的を達成できる範囲での変形、改良等は本発明に含まれるものである。
前記各実施形態では、無線通信装置３を利用可能な地域を示す情報である地域情報は、地域コード及びバージョンコードを含むとしたが、本発明はこれに限らない。例えば、地域情報は、地域コードのみを有するものでもよく、他の情報を含むものでもよい。更には、地域情報は、地域名を示すものであってもよい。
【００８２】
前記第２〜第５実施形態では、無線通信装置３に記憶された地域情報に対応し、当該無線通信装置３を利用可能な地域名を文字として表示するとしたが、本発明はこれに限らない。例えば、世界地図を表示して、無線通信装置３を利用可能な地域と、利用不可な地域とを異なる表示で示してもよい。すなわち、前述の地域情報、無線通信装置を利用可能な地域、現在位置、並びに、無線通信装置を利用可能か否かの判定結果等は、前述の画像の形態で示されるものに限らず、これらの内容を把握することが可能であれば、他の形態で示してもよい。
【００８３】
前記第３実施形態では、使用者による入力内容に基づいて、プロジェクター１Ｃが現在位置する地域で無線通信装置３を利用可能か否かが判定され、この判定結果が結果表示画面の画像に含まれて出力（表示）されるとしたが、本発明はこれに限らない。例えば、前記第５実施形態で示したように、出力される結果表示画面の画像に、当該地域で利用可能な無線通信装置の仕様種別を表す地域コードや、当該利用可能な無線通信装置の製品情報を含めてもよい。すなわち、前記第１〜第５実施形態で示した構成を互いに組み合わせたプロジェクターを構成してもよい。
【００８４】
前記各実施形態では、本発明の電子機器としてプロジェクター１Ａ〜１Ｅを挙げ、無線通信装置３から取得された地域情報が含まれる画像を表示することで、当該地域情報を出力するとしたが、本発明はこれに限らない。例えば、当該地域情報等を印刷出力してもよく、或いは、音声出力してもよい。なお、無線通信装置を利用可能な地域名や、当該無線通信装置を利用可能か否かの判定結果も同様である。
【００８５】
前記各実施形態では、液晶パネルを有する光変調装置を備えたプロジェクター１Ａ〜１Ｅを例示したが、入射光束を画像情報に応じて変調して光学像を形成する光変調装置であれば、他の構成の光変調装置を採用してもよい。例えば、マイクロミラーを用いたデバイスなど、液晶以外の光変調装置を用いたプロジェクターにも、本発明を適用することも可能である。
【００８６】
前記各実施形態では、プロジェクター１Ａ〜１Ｅに本発明を適用した例を挙げたが、本発明はこれに限らない。すなわち、無線通信装置を有する電子機器であれば、他の種類の電子機器であってもよい。例えば、プリンター、ルーター、スキャナー、電話機及び画像表示装置等に、本発明を適用することも可能である。
【符号の説明】
【００８７】
１Ａ〜１Ｅ…プロジェクター、２…筐体、３…無線通信装置、４Ａ〜４Ｅ…機器本体、３３…記憶手段（装置側記憶手段）、４３…画像表示装置（本体側出力手段，表示部）、４６…有線ＬＡＮ−ＩＦ（有線通信手段）、４７…位置情報取得装置（位置情報取得手段）、３４１…情報取得部（装置側取得手段）、３４２…情報出力部（装置側出力手段）、４４Ａ〜４４Ｅ…制御装置、４４３，４４３Ｂ〜４４３Ｅ…画像生成部、４４４…情報取得部（本体側取得手段）、４４５…画像出力部（本体側出力手段）、４４６Ｂ，４４６Ｄ，４４６Ｅ…記憶部（本体側記憶手段）、４４７…地域名取得部（地域名取得手段）、４４８，４４８Ｄ，４４８Ｅ…更新部（更新手段）、４５０，４５０Ｄ…判定部（判定手段）。
【図１】
2011217309.tif 000003
【図２】
2011217309.tif 000004
【図３】
2011217309.tif 000005
【図４】
2011217309.tif 000006
【図５】
2011217309.tif 000007
【図６】
2011217309.tif 000008
【図７】
2011217309.tif 000009
【図８】
2011217309.tif 000010
【図９】
2011217309.tif 000011
【図１０】
2011217309.tif 000012
【図１１】
2011217309.tif 000013
【図１２】
2011217309.tif 000014
【図１３】
2011217309.tif 000015
【図１４】
2011217309.tif 000016
【図１５】
2011217309.tif 000017
【図１６】
2011217309.tif 000018